【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
３５〜４５℃の凝縮温度を有する冷却システムで使用するための熱伝達組成物であって、
（ａ）１０重量％〜３５重量％のＨＦＣ−３２；
（ｂ）１０重量％〜３５重量％のＨＦＣ−１２５；
（ｃ）２０重量％〜５０重量％のＨＦＯ−１２３４ｚｅ、ＨＦＯ−１２３４ｙｆ、およびこれらの組み合わせ物；ならびに
（ｄ）１５重量％〜３５重量％のＨＦＣ−１３４ａ；
を含み、ここで該重量％が組成物中の成分（ａ）〜（ｄ）の総重量を基準としている、熱伝達組成物、ただし、
（ａ）１０重量％〜３５重量％のＨＦＣ−３２；
（ｂ）１０重量％〜３５重量％のＨＦＣ−１２５；
（ｃ）１６重量％〜５０重量％のＨＦＯ−１２３４ｚｅおよび０重量％〜３４重量％のＨＦＯ−１２３４ｙｆ；ならびに
（ｄ）１５重量％〜３５重量％のＨＦＣ−１３４ａ；
を含み、ここで該重量％が組成物中の成分（ａ）〜（ｄ）の総重量を基準としている、低温冷却用の熱伝達組成物を除く。
【請求項２】
（ａ）１０重量％〜３０重量％のＨＦＣ−３２；および（ｂ）１０重量％〜３０重量％のＨＦＣ−１２５；を含む、請求項１に記載の熱伝達組成物。
【請求項３】
前記ＨＦＯ−１２３４ｚｅがｔｒａｎｓ−ＨＦＯ−１２３４ｚｅを含む、請求項１に記
載の熱伝達組成物。
【請求項４】
前記ＨＦＯ−１２３４ｚｅがｔｒａｎｓ−ＨＦＯ−１２３４ｚｅからなる、請求項１に記載の熱伝達組成物。
【請求項５】
ＨＦＣ−３２：ＨＦＣ−１２５の重量比が０．９：１．２〜１．２：０．９である
、請求項１に記載の熱伝達組成物。
【請求項６】
ＨＦＣ−３２：ＨＦＣ−１２５の重量比が１：１である、請求項１に記載の熱伝達組成物。
【請求項７】
ＨＦＣ−４０４Ａの効率と同等かまたはより高い効率を有する請求項１〜６のいずれかに記載の熱伝達組成物。
【請求項８】
前記冷却システムが低温冷却システムである、請求項１〜７のいずれかに記載の熱伝達組成物。
【請求項９】
３５〜４５℃の凝縮温度を有する熱伝達システム中に含まれている現行の熱伝達流体を置き換える方法であって、該現行の熱伝達流体の少なくとも一部を該システムから取り除くこと、ここで該現行の熱伝達流体がＨＦＣ−４０４Ａ又はＲ−２２である；および
（ａ）１０重量％〜３５重量％のＨＦＣ−３２、
（ｂ）１０重量％〜３５重量％のＨＦＣ−１２５、
（ｃ）２０重量％〜５０重量％のＨＦＯ−１２３４ｚｅ、ＨＦＯ−１２３４ｙｆ、およびこれらの組み合わせ物、ならびに
（ｄ）１５重量％〜３５重量％のＨＦＣ−１３４ａ、
を含む熱伝達組成物、ここで該重量％が組成物中の成分（ａ）〜（ｄ）の総重量を基準としている、ただし、
（ａ）１０重量％〜３５重量％のＨＦＣ−３２；
（ｂ）１０重量％〜３５重量％のＨＦＣ−１２５；
（ｃ）１６重量％〜５０重量％のＨＦＯ−１２３４ｚｅおよび０重量％〜３４重量％のＨＦＯ−１２３４ｙｆ；ならびに
（ｄ）１５重量％〜３５重量％のＨＦＣ−１３４ａ；
を含み、ここで該重量％が組成物中の成分（ａ）〜（ｄ）の総重量を基準としている、低温冷却用の熱伝達組成物を除く、
を該システム中に導入することによって、該現行の熱伝達流体の少なくとも一部を置き換えること；を含む、上記方法。
【請求項１０】
前記熱伝達組成物が、（ａ）１０重量％〜３０重量％のＨＦＣ−３２；および（ｂ）１０重量％〜３０重量％のＨＦＣ−１２５；を含む、請求項９に記載の方法。
【請求項１１】
前記冷却システムが低温冷却システムである、請求項９又は１０に記載の方法。
【請求項１２】
３５〜４５℃の凝縮温度を有する熱伝達システムであって、流体連通状態にある圧縮機と凝縮器と蒸発器、および該システム中の熱伝達組成物を含み、該熱伝達組成物が、
（ａ）１０重量％〜３５重量％のＨＦＣ−３２；
（ｂ）１０重量％〜３５重量％のＨＦＣ−１２５；
（ｃ）２０重量％〜５０重量％のＨＦＯ−１２３４ｚｅ、ＨＦＯ−１２３４ｙｆ、およびこれらの組み合わせ物；ならびに
（ｄ）１５重量％〜３５重量％のＨＦＣ−１３４ａ；
を含み、ここで該重量％が組成物中の成分（ａ）〜（ｄ）の総重量を基準としており、
ただし、
（ａ）１０重量％〜３５重量％のＨＦＣ−３２；
（ｂ）１０重量％〜３５重量％のＨＦＣ−１２５；
（ｃ）１６重量％〜５０重量％のＨＦＯ−１２３４ｚｅおよび０重量％〜３４重量％のＨＦＯ−１２３４ｙｆ；ならびに
（ｄ）１５重量％〜３５重量％のＨＦＣ−１３４ａ；
を含み、ここで該重量％が組成物中の成分（ａ）〜（ｄ）の総重量を基準としている、低温冷却用の熱伝達組成物を除く、
該凝縮器が３５℃〜４５℃の作動温度を有する、上記熱伝達システム。
【請求項１３】
前記蒸発器が−２５℃〜−３５℃の作動温度を有する、請求項１２に記載の熱伝達システム。
【請求項１４】
前記熱伝達組成物がＨＦＣ−４０４Ａの効率と同等かまたはより高い効率を有する、請求項１２又は１３に記載の熱伝達システム。
【請求項１５】
前記冷却システムが低温冷却システムである、請求項１２〜１４のいずれかに記載の熱伝達システム。
【手続補正２】
【補正対象書類名】明細書
【補正対象項目名】００３８
【補正方法】変更
【補正の内容】
【００３８】
好ましい実施態様に関して本発明を説明してきたが、当業者には周知のように、本発明の要旨を逸脱しない範囲において種々の変更を行ってよく、また本発明の要素を等価物で置き換えてよい。さらに、本発明の要旨を逸脱しない範囲において、本発明の開示内容に従って特定の状況または材料に適合するよう多くの改良を加えることができる。したがって、本発明は、開示されている特定の実施態様に限定されず、添付のクレームまたは後で加えられる任意のクレームの範囲内に含まれる全ての実施態様を含む、ということが意図されている。
本発明は以下の態様を含む。
［１］
（ａ）約１０重量％〜約３５重量％のＨＦＣ−３２；（ｂ）約１０重量％〜約３５重量％のＨＦＣ−１２５；（ｃ）約２０重量％〜約５０重量％のＨＦＯ−１２３４ｚｅ、ＨＦＯ−１２３４ｙｆ、およびこれらの組み合わせ物；ならびに（ｄ）約１５重量％〜約３５重量％のＨＦＣ−１３４ａ；を含み、ここで該重量％が組成物中の成分（ａ）〜（ｃ）の総重量を基準としている、熱伝達組成物。
［２］
（ａ）約１０重量％〜約３０重量％のＨＦＣ−３２；および（ｂ）約１０重量％〜約３０重量％のＨＦＣ−１２５；を含む、［１］に記載の熱伝達組成物。
［３］
前記ＨＦＯ−１２３４ｚｅがｔｒａｎｓ−ＨＦＯ−１２３４ｚｅを含む、［１］に記載の熱伝達組成物。
［４］
ＨＦＣ−３２：ＨＦＣ−１２５の重量比が約０．９：１．２〜約１．２：０．９である、［１］に記載の熱伝達組成物。
［５］
ＨＦＯ−１２３４ｚｅとＨＦＯ−１２３４ｙｆを含む、［１］に記載の熱伝達組成物。
［６］
ＨＦＯ−１２３４ｚｅ：ＨＦＯ−１２３４ｙｆの重量比が約５：１〜約３：１である、［５］に記載の熱伝達組成物。
［７］
熱伝達システム中に含まれている現行の熱伝達流体を置き換える方法であって、該現行の熱伝達流体の少なくとも一部を該システムから取り除くこと、ここで該現行の熱伝達流体がＨＦＣ−４０４Ａである；および（ａ）約１０重量％〜約３０重量％のＨＦＣ−３２、（ｂ）約１０重量％〜約３０重量％のＨＦＣ−１２５、（ｃ）約２０重量％〜約５０重量％のＨＦＯ−１２３４ｚｅ、ＨＦＯ−１２３４ｙｆ、およびこれらの組み合わせ物、ならびに（ｄ）約１５重量％〜約３５重量％のＨＦＣ−１３４ａ、を含む熱伝達組成物を該システム中に導入することによって、該現行の熱伝達流体の少なくとも一部を置き換えること；を含み、ここで該重量％が組成物中の成分（ａ）〜（ｃ）の総重量を基準としている、上記方法。
［８］
前記熱伝達組成物が、（ａ）約１０重量％〜約３０重量％のＨＦＣ−３２；および（ｂ）約１０重量％〜約３０重量％のＨＦＣ−１２５；を含む、［７］に記載の方法。
［９］
熱伝達システムであって、流体連通状態にある圧縮機と凝縮器と蒸発器、および該システム中の熱伝達組成物を含み、該熱伝達組成物が、（ａ）約１０重量％〜約３０重量％のＨＦＣ−３２；（ｂ）約１０重量％〜約３０重量％のＨＦＣ−１２５；（ｃ）約２０重量％〜約５０重量％のＨＦＯ−１２３４ｚｅ、ＨＦＯ−１２３４ｙｆ、およびこれらの組み合わせ物；ならびに（ｄ）約１５重量％〜約３５重量％のＨＦＣ−１３４ａ；を含み、ここで該重量％が組成物中の成分（ａ）〜（ｃ）の総重量を基準としており、該凝縮器が約３５℃〜約４５℃の作動温度を有する、上記熱伝達システム。
［１０］
前記蒸発器が約−２５℃〜約−３５℃の作動温度を有する、［９］に記載の熱伝達システム。